(57)【要約】【課題】比較的容易に組み立てることができ、かつ、枠材の連結部分に生じる隙間を抑えることができる額縁を提供する。【解決手段】額縁は、第１枠材１２、第２枠材１４と、第１枠材１２と第２枠材１４とを連結するための連結具２０と、を備える。第１枠材１２には、第２枠材１４と当接する端面１２１から裏面にかけて開口する第１凹部１２５が形成され、第２枠材１４には、第１枠材１２と当接する端面１４１から裏面にかけて開口する第２凹部１４５が形成される。連結具２０は、第１凹部１２５、第２凹部１４５に跨って配置されるように第１凹部１２５、第２凹部１４５に差し込まれ、端面１２１と端面１４１とが押し付け合うように第１凹部１２５、第２凹部１４５の第１近位内壁部１２６ａ、第２近位内壁部１４６ａを押圧することを特徴とする額縁。【選択図】図５
2018102863.tif 000002
【特許請求の範囲】
【請求項１】
第１、第２枠材と、
前記第１枠材と前記第２枠材とを連結するための連結具と、を備え、
前記第１枠材には、前記第２枠材と当接する第１当接面から裏面にかけて開口する第１凹部が形成され、
前記第２枠材には、前記第１枠材と当接する第２当接面から裏面にかけて開口する第２凹部が形成され、
前記連結具は、
前記第１、第２凹部に跨って配置されるように前記第１、第２凹部に差し込まれ、
前記第１当接面と第２当接面とが押し付け合うように、前記第１、第２凹部の一部を画成する第１、第２内壁部を押圧することを特徴とする額縁。
【請求項２】
前記連結具は、
前記第１凹部に配置される第１連結部と、
前記第２凹部に配置される第２連結部と、
前記第１凹部および前記第２凹部に跨って配置され、前記第１連結部と前記第２連結部とを接続する接続部と、を含み、
前記連結具は、前記第１、第２連結部により、前記第１内壁部と前記第１当接面との間の前記第１枠材の第１挟持部と、前記第２内壁部と前記第２当接面との間の前記第２枠材の第２挟持部とを挟み込むよう構成されることを特徴とする請求項１に記載の額縁。
【請求項３】
前記第１凹部は、前記第１当接面上の開口から奥側に向かって幅が広がる第１当接面近位部を含み、
前記第２凹部は、前記第２当接面上の開口から奥側に向かって幅が広がる第２当接面近位部を含み、
前記第１内壁部は、前記第１当接面近位部を画成し、
前記第２内壁部は、前記第２当接面近位部を画成することを特徴とする請求項１または２に記載の額縁。
【請求項４】
前記第１凹部は、前記第１当接面近位部に連設され、奥側に向かって幅が狭まる第１当接面遠位部を含み、
前記第２凹部は、前記第２当接面近位部に連設され、奥側に向かって幅が狭まる第２当接面遠位部を含み、
前記第１連結部は、前記第１当接面遠位部を画成する内壁部と非接触であり、
前記第２連結部は、前記第２当接面遠位部を画成する内壁部と非接触であることを特徴とする請求項３に記載の額縁。
【請求項５】
前記連結具は、差込方向における前記第１、第２凹部の深さの半分の位置よりも奥側の前記第１、第２内壁部の部分を押圧することを特徴とする請求項１から４のいずれかに記載の額縁。
【請求項６】
前記連結具は、差込方向における先端部が、先端に向かうほど断面積が小さくなるよう形成されることを特徴とする請求項１から５のいずれかに記載の額縁。
【発明の詳細な説明】
【技術分野】
【０００１】
本発明は、額縁に関する。
【背景技術】
【０００２】
従来、複数の枠材を四角枠状に組んで構成される額縁が知られている。特許文献１には、各枠材の係合溝に跨るように連結具を差し込むことにより枠材同士を連結した額縁が提案されている。
【先行技術文献】
【特許文献】
【０００３】
【特許文献１】特開２００２−２９１５９３号公報
【発明の概要】
【発明が解決しようとする課題】
【０００４】
特許文献１に開示されるような従来の額縁は、比較的容易に額縁を組み立てることができる。しかしながら、この額縁では、枠材と枠材との連結部分に隙間が生じうる。
【０００５】
本発明はこうした状況に鑑みてなされたものであり、その目的は、比較的容易に組み立てることができ、かつ、枠材の連結部分に生じる隙間を抑えることができる額縁を提供することにある。
【課題を解決するための手段】
【０００６】
上記課題を解決するために、本発明のある態様の額縁は、第１、第２枠材と、第１枠材と第２枠材とを連結するための連結具と、を備える。第１枠材には、第２枠材と当接する第１当接面から裏面にかけて開口する第１凹部が形成され、第２枠材には、第１枠材と当接する第２当接面から裏面にかけて開口する第２凹部が形成され、連結具は、第１、第２凹部に跨って配置されるように第１、第２凹部に差し込まれ、第１当接面と第２当接面とが押し付け合うように第１、第２凹部の第１、第２内壁部を押圧する。
【発明の効果】
【０００７】
本発明によれば、比較的容易に組み立てることができ、かつ、枠材の連結部分に生じる隙間を抑えることができる額縁を提供できる。
【図面の簡単な説明】
【０００８】
【図１】実施の形態に係る額縁を示す正面図である。
【図２】額縁の分解斜視図である。
【図３】額縁の背面図である。
【図４】図４（ａ）〜（ｃ）は、連結具を示す図である。
【図５】第１枠材と第２枠材との連結部分を示す断面図である。
【図６】図５のＡ−Ａ線断面図である。
【図７】図７（ａ）〜（ｃ）は、額縁を壁面に取り付ける方法を示す工程図である。
【発明を実施するための形態】
【０００９】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１０】
図１は、実施の形態に係る額縁１０を示す正面図である。図２は、額縁１０の分解斜視図である。図２では、枠材の連結部分の１つを拡大して示している。図３は、額縁１０の背面図である。図３では、枠材の連結部分の１つを拡大して示している。また、図３では、連結具２０の表示を省略している。額縁１０は、住宅の壁面に取り付けられ、例えば住空間を彩るための化粧パネル（不図示）を収容する。
【００１１】
額縁１０は、互いに対向して配置されるべき一対の第１枠材１２と、互いに対向して配置されるべき一対の第２枠材１４と、第１枠材１２と第２枠材１４とを連結するための４つの連結具２０と、を含む。
【００１２】
第１枠材１２は、木製で、長尺状に形成される。第１枠材１２の２つの端面（当接面）１２１は、長手方向に対して４５度をなすよう形成される。第１枠材１２の両端部には、端面１２１から裏面１２２にかけて開口する第１凹部１２５が設けられる。本実施の形態では、第１凹部１２５は、裏面１２２から表面（化粧面）１２３に向けて延びる非貫通孔であって、端面１２１にかかるように設けられた非貫通孔である。また、第１凹部１２５は、裏面１２２および表面１２３に平行な断面形状が円形状を有する。
【００１３】
第１凹部１２５は、端面１２１から奥側に向かうほど、すなわち端面１２１および端面１４１（後述）に直交する方向（以下、「当接方向」とよぶ）において端面１２１から離れる側に向かうほど幅が徐々に広がる第１当接面近位部１２５ａと、第１当接面近位部１２５ａに連設され、奥側に向かうほど幅が徐々に狭まる第１当接面遠位部１２５ｂと、を含む。
【００１４】
第１近位内壁部１２６ａは、当接方向において第１凹部１２５と端面１２１との間に位置する内壁である。本実施の形態では、第１近位内壁部１２６ａは、第１当接面近位部１２５ａを画成する。第１遠位内壁部１２６ｂは、第１当接面遠位部１２５ｂを画成する。
【００１５】
第２枠材１４は、第１枠材１２と同様に、木製で、長尺状に形成される。第２枠材１４の２つの端面（当接面）１４１は、長手方向に対して４５度をなすよう形成される。第２枠材１４の両端部には、端面１４１から裏面１４２にかけて開口する第２凹部１４５が設けられる。本実施の形態では、第２凹部１４５は、裏面１４２から表面（化粧面）１４３に向けて延びる非貫通孔であって、端面１４１にかかるように設けられた非貫通孔である。また、第２凹部１４５は、裏面１４２および表面１４３に平行な断面形状が円形状を有する。
【００１６】
第２凹部１４５は、端面１４１から奥側に向かうほど、すなわち当接方向において端面１４１から離れる側に向かうほど幅が徐々に広がる第２当接面近位部１４５ａと、第２当接面近位部１４５ａに連設され、奥側に向かうほど幅が徐々に狭まる第２当接面遠位部１４５ｂと、を含む。
【００１７】
第２近位内壁部１４６ａは、当接方向において第２凹部１４５と端面１４１との間に位置する内壁である。本実施の形態では、第２近位内壁部１４６ａは、第２当接面近位部１４５ａを画成する。第２遠位内壁部１４６ｂは、第２当接面遠位部１４５ｂを画成する。
【００１８】
第１枠材１２と第２枠材１４とは、端面１２１と端面１４１とが当接した状態で連結され、四角枠を形成する。端面１２１と端面１４１とが当接した状態では、第１凹部１２５と第２凹部１４５とは、端面１２１、１４１上の開口を介して連通される。
【００１９】
連結具２０は、第１凹部１２５および第２凹部１４５に跨って配置されるように、裏面１２２、１４２上の開口から、第１凹部１２５および第２凹部１４５に差し込まれる。
【００２０】
以下では、第１枠材１２ａと２枠材１４とを特に区別しないときやまとめていうときには単に「枠材」とよぶ。また、第１凹部１２５と第２凹部１４５とを特に区別しないときやまとめていうときには単に「凹部」とよぶ。
【００２１】
図４（ａ）〜（ｃ）は、連結具２０を示す図である。ここでは、便宜上、連結具２０が凹部に差し込まれた状態を基準に方向を表現する。図４（ａ）は、凹部に連結具２０を差し込むときの差込方向における先端側から連結具２０を見た図である。図４（ｂ）は、当接方向から連結具２０を見た図である。図４（ｃ）は、差込方向および当接方向に直交する直交方向から連結具２０を見た図である。
【００２２】
連結具２０は、樹脂材料から形成される。なお、連結具２０は、金属材料から形成されてもよい。連結具２０は、第１連結部２０１と、第２連結部２０２と、接続部２０３と、を含む。第１連結部２０１は、差込方向から見て、略半楕円状の形状を有する。第１連結部２０１は、先端部２０１ａと、中間部２０１ｂと、後端部２０１ｃと、を含む。後端部２０１ｃは、先端部２０１ａや中間部２０１ｂに比べて差込方向における寸法が大きくなるよう形成される。
【００２３】
後端部２０１ｃは、先端に向かうほど断面積が大きくなるよう形成される。後端部２０１ｃの後端面２０４には、後端側であることを示すマークとしての非貫通孔２０５が形成されている。これにより、ユーザーは、連結具２０の先端側と後端側とを容易に見分けることができる。中間部２０１ｂは、差込方向にわたって断面積が実質的に一定になるよう形成される。先端部２０１ａは、先端に向かうほど断面積が小さくなるよう形成される。
【００２４】
第２連結部２０２は、第１連結部２０１と同様に、差込方向から見て、略半楕円状の形状を有する。第２連結部２０２は、先端部２０２ａと、中間部２０２ｂと、後端部２０２ｃと、を含む。先端部２０２ａ、中間部２０２ｂ、後端部２０２ｃはそれぞれ、先端部２０１ａ、中間部２０１ｂ、後端部２０１ｃと同様に構成される。
【００２５】
接続部２０３は、第１連結部２０１と第２連結部２０２とを接続する。接続部２０３は、その直交方向における寸法が、第１連結部２０１および第２連結部２０２の直交方向における最大寸法の半分程度となるよう形成される。
【００２６】
図５は、第１枠材１２と第２枠材１４との連結部分を示す断面図である。図５では、裏面１２２および裏面１４２（いずれも図５では不図示）に平行で、中間部２０１ｂおよび中間部２０２ｂを通る断面を示す。図６は、図５のＡ−Ａ線断面図である。
【００２７】
連結具２０は、第１連結部２０１と第２連結部２０２により、第１近位内壁部１２６ａと端面１２１との間の第１挟持片１２８と、第２近位内壁部１４６ａと端面１４１との間の第２挟持片１４８とを挟み込むよう構成される。別の言い方をすると、連結具２０は、第１連結部２０１の中間部２０１ｂが第１近位内壁部１２６ａと２箇所で線接触または面接触して第１近位内壁部１２６ａを端面１４１に向けて押圧し、第２連結部２０２の中間部２０２ｂが第２近位内壁部１４６ａと２箇所で線接触または面接触して第２近位内壁部１４６ａを端面１２１に向けて押圧するよう構成される。
【００２８】
より具体的には、第１連結部２０１の中間部２０１ｂと第２連結部２０２の中間部２０２ｂとの当接方向における距離が、対応する第１近位内壁部１２６ａと第２近位内壁部１４６ａとの距離よりも僅かに短くなるように連結具２０および凹部が構成される。別の言い方をすると、第１連結部２０１が第１近位内壁部１２６ａを押圧して第１挟持片１２８を弾性変形させながら第１凹部１２５に圧入され、第２連結部２０２が第２近位内壁部１４６ａを押圧して第２挟持片１４８を弾性変形させながら第２凹部１４５に圧入されるように連結具２０および凹部が構成される。
【００２９】
これにより、第１枠材１２の端面１２１と第２枠材１４の端面１４１とが押し付け合う。
【００３０】
また、第１連結部２０１は、差込方向における第１凹部１２５の深さＤの半分の位置よりも奥側の第１近位内壁部１２６ａの部分を押圧する。好ましくは、第１連結部２０１は、差込方向において、第１枠材１２の厚みＴの半分の位置よりも奥側の第１近位内壁部１２６ａの部分を押圧する。第２連結部２０２も同様に構成される。
【００３１】
また、連結具２０の第１連結部２０１、第２連結部２０２はそれぞれ、第１当接面遠位部１２５ｂ、第２当接面遠位部１４５ｂを画成する第１遠位内壁部１２６ｂ、第２遠位内壁部１４６ｂとは非接触となるよう構成される。
【００３２】
図７（ａ）〜（ｃ）は、上述した額縁１０を壁面に取り付ける方法を示す工程図である。
【００３３】
まず、図７（ａ）に示すように、第１枠材１２の両端部の第１凹部１２５に連結具２０（例えば連結具２０の第１連結部２０１）を差し込む。そして、連結具２０が差し込まれた第１枠材１２を壁面に固定する。例えば、第１枠材１２の裏面１２２または／および壁面に接着剤を塗布して、第１枠材１２を壁面に固定する。
【００３４】
次に、図７（ｂ）に示すごとく、第２枠材１４の一端部（図７（ｂ）では上側）の第２凹部１４５に連結具２０（例えば連結具２０の第２連結部２０２）を差し込む。そして、第１枠材１２から突出している連結具２０が第２枠材１４の他端（図７（ｂ）では下側）の第２凹部１４５に差し込まれるように、第２枠材１４を壁面に固定する。この状態で、例えば化粧パネル等の装飾品を額縁１０に収める。
【００３５】
次に、図７（ｃ）に示すごとく、第１枠材１２の両端の第１凹部１２５に、各第２枠材１４から突出している連結具２０が差し込まれるように、第１枠材１２を壁面に固定する。
【００３６】
連結具２０を凹部に差し込むだけで第１枠材１２と第２枠材１４とを連結できるため、床面に枠材を裏向きに置いて四角く枠組みせずに、上述のように壁面に取り付けながら枠組みできる。
【００３７】
以上説明した実施の形態に係る額縁１０では、連結具２０を凹部に差し込むだけで、枠材同士を連結できる。また、連結具２０は、凹部に差し込まれると、端面１２１と端面１４１とが押し付け合うように第１近位内壁部１２６ａと第２近位内壁部１４６ａを押圧する。これにより、端面１２１と端面１４１とに隙間が生じるのを抑えられる。つまり、実施の形態に係る額縁１０によると、比較的容易に組み立てることができ、かつ、枠材の連結部分に生じる隙間を抑えることができる。
【００３８】
また、実施の形態に係る額縁１０によると、第１連結部２０１および第２連結部２０２が、それぞれ２箇所でのみ凹部の内壁と接触するよう構成される。特に、第１連結部２０１および第２連結部２０２は、第１遠位内壁部１２６ｂおよび第２遠位内壁部１４６ｂに接触しないよう、すなわち枠材を当接面に向けて押し付けるのに寄与しない接触を避けるように構成される。これにより、連結具２０を差し込む際の摩擦抵抗を抑えることができる。
【００３９】
また、実施の形態に係る額縁１０によると、連結具２０は、差込方向における凹部の深さＤの半分の位置よりも奥側の近位内壁部の部分を押圧する。より好ましくは、連結具２０は、差込方向における枠材の厚みＴの半分の位置よりも奥側の近位内壁部の部分を押圧する。これにより、表面（化粧面）側に隙間が生じるのをより抑えることができる。
【００４０】
また、実施の形態に係る額縁１０によると、連結具２０は、差込方向における先端部である第１連結部２０１の先端部２０１ａおよび第２連結部２０２の先端部２０２ａが、先端に向かうほど断面積が小さくなるよう形成される。これにより、連結具２０を比較的容易に凹部に差し込むことができる。
【００４１】
以上、実施の形態に額縁について説明した。この実施の形態は例示であり、各構成要素の組み合わせにいろいろな変形例が可能なこと、またそうした変形例も本発明の範囲にあることは当業者に理解されるところである。
【００４２】
（変形例１）
実施の形態では、第１連結部２０１が第１近位内壁部１２６ａを押圧して第１挟持片１２８を弾性変形させながら第１凹部１２５に圧入され、第２連結部２０２が第２近位内壁部１４６ａを押圧して第２挟持片１４８を弾性変形させながら第２凹部１４５に圧入されるように連結具２０および凹部が構成される場合について説明したが、これに限られない。第１挟持片１２８および第２挟持片１４８が弾性変形する代わりに、連結具２０、特に接続部２０３が弾性変形してもよい。
【００４３】
（変形例２）
実施の形態では、第１凹部１２５および第２凹部１４５の断面形状が円形状である場合について説明したが、これに限られない。第１凹部１２５と端面１２１との間に第１挟持片１２８が存在し、第２凹部１４５と端面１４１との間に第２挟持片１４８が存在し、第１連結部２０１と第２連結部２０２により第１挟持片１２８および第２挟持片１４８を挟み込めればよく、例えば、第１凹部１２５および第２凹部１４５の断面形状が楕円形状、多角形状、その他の形状であってもよい。
【００４４】
（変形例３）
実施の形態では、第１連結部２０１の中間部２０１ｂが第１近位内壁部１２６ａと２箇所で線接触または面接触し、第２連結部２０２の中間部２０２ｂが第２近位内壁部１４６ａと２箇所で線接触または面接触する場合について説明したが、これに限られず、第１連結部２０１の中間部２０１ｂが第１近位内壁部１２６ａと２箇所で点接触し、第２連結部２０２の中間部２０２ｂが第２近位内壁部１４６ａと２箇所で点接触してもよい。例えば、中間部２０１ｂおよび中間部２０２ｂが差込方向において先端に向かうほど断面積が小さくなるよう形成されることにより、すなわち中間部２０１ｂおよび中間部２０２ｂの外周面がテーパ面を形成することにより上述の点接触が実現されてもよい。また例えば、中間部２０１ｂおよび中間部２０２ｂが、その差込方向の寸法が連結具２０全体の寸法に比べて十分に小さくなるよう形成されることにより上述の点接触が実現されてもよい。
【００４５】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連携によって実現されることも当業者には理解されるところである。
【００４６】
以上の記載から、下記の発明が認識される。
本発明のある態様の額縁は、第１、第２枠材と、第１枠材と第２枠材とを連結するための連結具と、を備える。第１枠材には、第２枠材と当接する第１当接面から裏面にかけて開口する第１凹部が形成され、第２枠材には、第１枠材と当接する第２当接面から裏面にかけて開口する第２凹部が形成され、連結具は、第１、第２凹部に跨って配置されるように第１、第２凹部に差し込まれ、第１当接面と第２当接面とが押し付け合うように第１、第２凹部の第１、第２内壁部を押圧する。
【００４７】
連結具は、第１凹部に配置される第１連結部と、第２凹部に配置される第２連結部と、第１凹部および第２凹部に跨って配置され、第１連結部と第２連結部とを接続する接続部と、を含んでもよい。連結具は、第１、第２連結部により、第１内壁部と第１当接面との間の第１枠材の第１挟持部と、第２内壁部と第２当接面との間の第２枠材の第２挟持部とを挟み込むよう構成されてもよい。
【００４８】
第１凹部は、第１当接面上の開口から奥側に向かって幅が広がる第１当接面近位部を含んでもよい。第２凹部は、第２当接面上の開口から奥側に向かって幅が広がる第２当接面近位部を含んでもよい。第１内壁部は、第１当接面近位部を画成し、第２内壁部は、第２当接面近位部を画成してもよい。
【００４９】
これらの態様によると、連結具を第１凹部および第２凹部に跨るように差し込むと、第１当接面と第２当接面とが押し付け合い、第１当接面と第２当接面とに隙間が生じるのを抑えられる。つまり、比較的容易に組み立てることができ、かつ、枠材の連結部分に生じる隙間を抑えることができる。
【００５０】
第１凹部は、第１当接面近位部に連設され、奥側に向かって幅が狭まる第１当接面遠位部を含んでもよい。第２凹部は、第２当接面近位部に連設され、奥側に向かって幅が狭まる第２当接面遠位部を含んでもよい。第１連結部は、第１当接面遠位部を画成する内壁部と非接触であり、第２連結部は、第２当接面遠位部を画成する内壁部と非接触であってもよい。この場合、連結具を差し込む際の摩擦抵抗を抑えることができる。
【００５１】
連結具は、差込方向における第１、第２凹部の深さの半分の位置よりも奥側の第１、第２内壁部の部分を押圧してもよい。この場合、表面（化粧面）側に隙間が生じるのをより抑えることができる。
【００５２】
連結具は、差込方向における先端部が、先端に向かうほど断面積が小さくなるよう形成されてもよい。この場合、連結具を第１、第２凹部に比較的容易に差し込むことができる。
【符号の説明】
【００５３】
１０  額縁、  １２  第１枠材、  １４  第２枠材、  ２０  連結具、  １２２  裏面、  １２２  裏面、  １２５  第１凹部、  １４１  端面、  １４２  裏面、  １４５  第２凹部。
【図１】
2018102863.tif 000003
【図２】
2018102863.tif 000004
【図３】
2018102863.tif 000005
【図４】
2018102863.tif 000006
【図５】
2018102863.tif 000007
【図６】
2018102863.tif 000008
【図７】
2018102863.tif 000009